【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
同軸コネクタであって、
中空コアを有する導電性外側シェルと、
中心導体と、
抵抗器の第１端部と、
前記抵抗器の第２端部と、
から成り、
前記中空コア内には絶縁体が取り付けられており、
前記中心導体は、前記外側シェルの前記中空コア内の実質的に中心に配置されている前記絶縁体内に取り付けられており、前記中心導体の第１端部と前記外側シェルの第１端部とは協力して結合端部を画成しており、
前記抵抗器の前記第１端部は、前記中心導体の第２端部に電気的に接続されており、
前記抵抗器の前記第２端部は、導電性の後プラグに接続されており、
前記後プラグは、その内側を延びる中央軸方向開口と、圧着スリーブとを有しており、前記抵抗器の前記第２端部は、前記中央軸方向開口を通り前記後プラグの前記圧着スリーブ内まで延びており、
前記抵抗器は、前記外側シェルの前記中空コア内で実質的に軸方向に延びており、
前記後プラグは、前記結合端部の反対側にて、前記外側シェル内に少なくとも一部分が取り付けられており、前記抵抗器の前記第２端部を前記外側シェルに電気的に接続することを特徴とする同軸コネクタ。
【請求項２】
前記同軸コネクタは、更に、前記後プラグ及び前記外側シェルの周囲に嵌合するようなされた後キャップから成ることを特徴とする請求項１に記載の同軸コネクタ。
【請求項３】
前記絶縁体は単体ピースからなる絶縁体であり、前記中心導体は、前記絶縁体を貫通する中心軸方向開口内にプレスフィットされていることを特徴とする請求項１に記載の同軸コネクタ。
【請求項４】
前記絶縁体は２つのピースからなる絶縁体であり、前記２つのピースは協力して中心軸方向開口を形成し、前記中心軸方向開口内には、前記中心導体が配置されていることを特徴とする請求項１に記載の同軸コネクタ。
【請求項５】
前記絶縁体の前記２つのピースは同一であることを特徴とする請求項４に記載の同軸コネクタ。
【請求項６】
前記結合端部は同軸ジャックと結合するように適合していることを特徴とする請求項１に記載の同軸コネクタ。
【請求項７】
前記結合端部は、ＢＮＣジャック、ＴＮＣジャック、Ｆコネクタジャック、ＷＥＣＯ中型パッチジャック、ＲＣＡジャックのうちの１つと結合するように適合していることを特徴とする請求項６に記載の同軸コネクタ。
【請求項８】
前記後プラグは、前記外側シェルの前記中空コア内に全体が嵌合することを特徴とする請求項１に記載の同軸コネクタ。
【請求項９】
前記後プラグは、前記外側シェルの外側に延びている後部を備えており、前記後部は、前記外側スリーブの内径よりも大きい直径を有しており、前記後プラグの前記後部と前記後キャップの前記内径とが干渉して嵌り合うことによって、前記後キャップを前記外側シェルに保持することを特徴とする請求項２に記載の同軸コネクタ。
【請求項１０】
同軸コネクタを組み立てる方法であって、
コネクタハウジングの中空コア内に絶縁体を挿入するステップと、
抵抗器の第１先端部を中心導体の第２端部に圧着するステップと、
前記抵抗器の第２先端部を、後プラグ内を延びるとともに、圧着スリーブを有する中心軸方向開口内を通って前記圧着スリーブまで延びるように配置するステップと、
前記絶縁体を貫通するように画成されている中心軸方向開口内に前記中心導体の第１端部を挿入して、もって、前記コネクタハウジングの第１端部と前記中心導体の前記第１端部とが結合端部を画成するステップと、
前記コネクタハウジングの第２端部を前記後プラグに係合させて、前記中心導体と前記後プラグとが協力して前記コネクタハウジングの前記中空コア内で軸方向に一直線に配置された前記抵抗器を保持するステップと、
前記抵抗器の前記第２先端部を前記後プラグに圧着するステップと、
から成る方法。
【請求項１１】
前記後プラグの前記圧着スリーブは、前記第２先端部の周囲に圧着されていることを特徴とする請求項１０に記載の方法。
【請求項１２】
前記方法は、更に、前記抵抗器が前記コネクタハウジング内で軸方向に一直線に配置されることを確実にするために、前記抵抗器の前記第２端部を前記後プラグに圧着する前に、前記抵抗器の前記第２先端部に張力を加えるステップから成ることを特徴とする請求項１１に記載の方法。
【請求項１３】
前記方法は、更に、前記第２先端部を前記後プラグに圧着した後、前記抵抗器の前記第２先端部を前記後プラグの外側端部と実質的に面一に切り取るステップから成ることを特徴とする請求項１１に記載の方法。
【請求項１４】
前記方法は、更に、前記後プラグ及び反対側の前記コネクタハウジングの第２端部の周囲にエンドキャップを配置するステップから成ることを特徴とする請求項１０に記載の方法。
【手続補正２】
【補正対象書類名】明細書
【補正対象項目名】全文
【補正方法】変更
【補正の内容】
【発明の詳細な説明】
【発明の名称】終端同軸コネクタ
【技術分野】
【０００１】
本発明は同軸電気通信ポートを終端するコネクタに関する。
【背景技術】
【０００２】
電気通信設備において、同軸ジャックは、テレコミュニケーションワイヤリングクローゼット（telecommunications wiring closet）内のそれぞれ異なる箇所にある装置を接続するために使用されるか又は、電気通信システム内の他の装置に接続するために使用される。ジャックがある装置に配線され、別の装置に接続されるプラグが該ジャック内に挿入されていないことはよくあることである。このような場合において、回路を開いた状態にさせておくのとは対照的に、ジャック内に終端プラグを挿入して回路を閉じ、該回路に適切なレベルのインピーダンスを提供することが望ましい。終端プラグは、好ましくは、設備の特定の要件に整合する一定の周知の大きさのインピーダンスを提供する。
【０００３】
周知の終端プラグは、外側シェルと、外側シェル内にあり且つ該外側シェルにはんだ付けされている抵抗器によって直接接続されている中心導体と、を提供している。抵抗器が外側シェル内で傾いており適切に外側シェルと接触していない、又は外側シェルと抵抗器とのはんだによる接続が正しく行われていない、又は該はんだによる接続が一貫して行われていないことが原因で、周知の終端プラグでは、安定した或いは望ましいレベルのインピーダンスを提供することができない。周知の終端同軸プラグには改良が望まれている。
【発明の開示】
【課題を解決するための手段】
【０００４】
本発明は所望のレベルのインピーダンスを提供する抵抗器を備えた終端同軸コネクタに関する。抵抗器は導電性外側ハウジング内で保持されており、中心導体と外側ハウジングとを導電性エンドプラグを介して電気的に接続する。該エンドプラグは、抵抗器の端部の周囲に圧着され、該抵抗器は、エンドプラグによって、外側ハウジング内で軸方向に一直線に配置された状態に維持される。本発明は、更に、抵抗器を備えた終端同軸コネクタを組み立てる方法に関し、抵抗器の端部は、後プラグ内に挿入され且つ該後プラグに圧着されており、該後プラグは、導電性外側ハウジングの中空コア内で軸方向に一直線に配置されている抵抗器を保持する。
【発明を実施するための最良の形態】
【０００５】
添付の図面に示された本発明の実施例を詳細に説明する。図面において、可能な限り、同じ或いは類似の部品については同じ参照番号を使用する。添付の図面は、明細書に含まれており明細書の一部を構成し、本発明の幾つかの概念を示しており、明細書の記載とともに、本発明の原理を示す役割を担っている。
【０００６】
同軸電気通信設備において未使用のポートを終端する際、特定のレベルのインピーダンスを備えている終端同軸コネクタを有することが望ましい。ＢＮＣ終端同軸プラグコネクタの場合、コネクタのインピーダンスの所望のレベルは７５オームである。他の型及び種類の同軸コネクタの場合、他のレベルのインピーダンスが好ましい。
【０００７】
従来の終端同軸プラグコネクタ１１０が図１乃至図３に示されている。該コネクタ１１０は、同軸ジャックと結合するための結合開口１１２を備えている。回転係止機構１１８は、同軸ジャックと係合して不意に或いは偶発的に取り外されることを防止する。円筒形の導電性外側シェル１１４内には、結合開口１１２の実質的に中心にある中心導体１１６を電気的に隔絶する絶縁体１２２が取り付けられている。抵抗器１２４の第１先端部即ち第１端部１２６は、結合開口１１２の反対側にて、中心導体１１６に取り付けられており、第２先端部即ち第２端部１２８にて、導電性外側シェル１１４と中心導体１１６とを電気的に接続している。後キャップ１２０は、終端同軸コネクタ１１０の後部を囲っている。
【０００８】
使用の際、コネクタ１１０は、同軸コネクタジャックに取り付けられる。外側シェル１１４はジャックのリング導体（ring conductor）と接触し、中心導体１１６はジャックのチップ導体（tip conductor）と接触する。抵抗器１２４は外側シェル１１４と中心導体１１６とを電気的に接続し、ジャックに接続されている回路のリターン信号（return signal）を提供する。このリターン信号のインピーダンスのレベルは抵抗器１２４によって制御される。
【０００９】
抵抗器１２４は、外側シェル１１４内で、実質的に軸方向に一直線に配置された状態で挿入されることが可能ではあるが、第２端部１２８が外側シェル１１４に接続されると、抵抗器１２４は、多くの場合、図３に示されるように外側シェル１１４と接触する程度に、軸方向に一直線に配置された状態からずれる。第２端部１２８と外側シェル１１４との接続は、典型的には、はんだ付けによる接続のような物理的且つ電気的な接続である。第２端部１２８は、ノッチ１３２を介して、外側シェル１１４の外側に延び、外側シェル１１４のリリーフ（relief）１３０内に収容される。このような接続状態において、後キャップ１２０は、第２端部１２８と外側シェル１１４との物理的且つ電気的な接続を更に保護する役割をする。図示された所望の軸方向に一直線に配置された状態から第２端部１２８を曲げて外側シェル１１４にはんだ付けする過程において、抵抗器１２４をずらさずに、同軸コネクタ１１０のような終端コネクタを組み立てることは非常に難しい。このようなずれが起きると、コネクタ１１０によって提供されるインピーダンスは、所望のインピーダンスから変化する。抵抗器１２４が外側シェル１１０と接触する可能性と、第２端部１２８と外側シェル１１４とのはんだによる接合点においては、提供されている電気的な接続の質が変わる可能性と、完成されたはんだによる接合点の周囲に後キャップ１２０を配置すると、はんだによる接合点によって提供されている物理的且つ電気的な接続の性質が変わる可能性と、がある。これらによって、コネクタ１１０によって提供されているインピーダンスのレベルに予測不能な望ましくない変化が生じるおそれがある。
【００１０】
図４乃至図７は、本発明に係わる終端同軸コネクタ１０を示す。コネクタ１０は、軸方向に一直線に配置されている抵抗器２４を備えている。コネクタ１０は、ＢＮＣ型コネクタであり、結合開口１２を画成している。コネクタ１０は、更に、円筒形の導電性外側ハウジング１４と、結合開口１２内の中心導体１６と、外側ハウジング１４の周囲にある係止機構１８と、を備えている。絶縁体２２は、外側ハウジング１４内に取り付けられており、中心軸方向チャンネル３２を提供している。該中心軸方向チャンネル３２内には、中心導体１６が取り付けられており、第１端部３６は結合開口１２内に延びている。絶縁体２２は、外側ハウジング１４内で軸方向に一直線に配置されている中心導体１６を保持し、中心導体１６を外側シェル１４から電気的に隔絶する。抵抗器２４の第１端部２６は、中心導体１６の第２端部３４に圧着されている。抵抗器２４の第２端部２８は後プラグ３０に挿入され、該後プラグ３０に圧着されている。後プラグ３０は、結合端部１２の反対側の外側ハウジング１４の端部に取り付けられている。該後プラグ３０は、電気伝導性を有しており、抵抗器２４と外側ハウジング１４との間に電気的な路を提供している。後キャップ２０は後プラグ３０に被さって取り付けられている。
【００１１】
後プラグ３０が図４乃至７に示されるように取り付けられるとき、外側ハウジング１４と後プラグ３０との物理的な接続及び第２端部２８と後プラグ３０との圧着接続とによって、抵抗器２４と外側ハウジング１４との一貫した電気的な接続が提供される。この圧着接続及び物理的な接続には、加熱処理やはんだ付けが不要である。後プラグ３０は、抵抗器２４が外側ハウジング１４内において一貫して軸方向に一直線に配置された状態を維持するように、該抵抗器２４を支持する。コネクタ１０内にて抵抗器２４の配置箇所が一貫していることと、上記接続の性質と、から、コネクタ１０は、該コネクタ１０が同軸コネクタジャックを介して開回路を終端するのに使用されるとき、予測可能なレベルのインピーダンスを提供することができる。
【００１２】
図４乃至図７には、また、ワッシャー３８、４２及びウェーブワッシャー（wave washer）４０も示されており、これらのワッシャーは協力して、外側ハウジング１４の周囲で係止機構１８が回転移動及び横方向移動を行うことを支援する。
【００１３】
図８乃至図１０を参照すると、後プラグ３０の更なる詳細が示されている。後プラグ３０は、電気伝導性素材で形成されており、中心軸方向開口４４を備えている。該中心軸方向開口４４には、抵抗器２４の第２端部２８が収容されている。斜面４８は、第２端部２８が開口４４に挿入されるのを支援する。斜面４８の反対側には、後プラグ３０を抵抗器２４に圧着するために第２端部２８の周囲で圧縮されている圧着延長部４６がある。後プラグ３０は、また、外側ハウジング１４内に挿入されている第１の壁５０を備えている。挿入を支援して後プラグ３０と外側ハウジング１４との物理的且つ電気的な接続を向上させるために、第１の壁５０には、図に示されるようにギザギザを付けてもよい。リップ５４は、結合端部１２とは反対側の外側ハウジング１４の端部と係合し、外側ハウジング１４内への後プラグ３０の挿入深さを制限する役割を果たす。第２の壁５２は第１の壁５０よりも大きい直径を有している。第２の壁５２は、以下で詳細に述べるが、後キャップ２０の内壁６４と係合し、外側ハウジング１４の後部６８とほぼ同じ直径を有している。後キャップ２０を後プラグ３０及び後部６８の周囲に挿入することを支援し、後キャップ２０と後プラグ３０との物理的な接続を向上させるために、第２の壁５２にも、図に示されるように、ギザギザを付けてもよい。
【００１４】
図１１乃至図１３は、端壁６６によって一端が閉じている円筒形の内部空間５６を備えている後キャップ２０を示している。円筒形の内部５６は、壁６２によって囲まれている第１部分５８と、壁６４によって囲まれている第２部分６０と、を有している。第１部分５８は、後部６８５８及び第２の壁５２よりも大きい直径を有している。前述の図面に示されるように、外側ハウジング１４及び後プラグ３０の周囲に配置されたとき、第２の壁５２よりもわずかに小さい直径を有する内壁６４は、後プラグ３０と係合して、コネクタ１０に保持される。後キャップ２０内の内径と外側ハウジング１４及び後プラグ３０の外径との上記以外の組み合わせが後キャップ２０をコネクタ１０の後部６８の周囲に固定するために使用できることも考えられる。
【００１５】
図１４乃至図１７を参照すると、第１の変形例である終端同軸コネクタ２１０が示されている。該コネクタ２１０はＷＥＣＯ中型電気通信ジャック（WECO mid-size telecomminications jack）とともに使用される。コネクタ２１０の構造は、コネクタ１０の構造に実質的に類似しており、中型ジャックのチップコンタクト（tip contact）及びリングコンタクト（ring contact）と結合するために弱冠異なる形状を有している部品を幾つか備えている。１対の絶縁半体２２２は、第１端部２３６が結合端部２１２内にあるように、中心導体２１６を外側ハウジング２１４内の中心に取り付けている。抵抗器２４の第１端部２６は中心導体２１６の第２端部２３４に圧着されており、第２端部２８は後プラグ２３０の開口２４４内に圧着されている。後プラグ２３０は外側ハウジング２１４の後部２６８内に取り付けられており、後キャップ２２０は後部２６８の周囲に取り付けられており、もって、後キャップ２２０の第１の内壁２６４が、後プラグ２３０の第２の壁２５２に係合して後プラグ２３０の第２の内壁２６２が隆起領域２７０に係合して後キャップ２２０をコネクタ２１０に固定する。
【００１６】
図１８乃至図２２を参照すると、第２の変形例である終端同軸コネクタ３１０が示されている。該コネクタ３１０はＦコネクタ電気通信ジャックとともに使用される。コネクタ３１０の構造は、コネクタ１０の構造に実質的に類似しており、Ｆコネクタジャックのチップコンタクト及びリングコンタクトと結合するために弱冠異なる形状を有している部品を幾つか備えている。１対の絶縁半体３２２は、第１端部３３６が結合端部３１２内にあるように、中心導体３１６を外側ハウジング３１４内の中心に取り付けている。抵抗器２４の第１端部２６は中心導体３１６の第２端部３３４に圧着されており、第２端部２８は後プラグ３３０の開口３４４内において圧着スリーブ３４６にて圧着されている。後プラグ３３０は、第１の壁３５０が外側ハウジング３１４の内壁３５１に係合するように、外側ハウジング３１４の後部３６８内に取り付けられている。前述の実施例と同様に後キャップは後部３６８の周囲に嵌合するように適合させることができるが、コネクタ３１４に取り付けられた状態の後キャップは図示されていない。
【００１７】
本発明に係わる終端同軸コネクタの更なる実施例が他の標準或いは固有の同軸コネクタジャックに適用可能である。これら他のジャックとしては、ＴＮＣ、ＲＣＡ、ＷＥＣＯ標準型、ＭＵＳＡ小型及び標準型、７−１６ＤＩＮ、Ｎーフォーマット、１．６／５．６及びＬＣＪジャックがあるが、これらのジャックに限定されることはない。本発明に係わる終端同軸コネクタを構成するのに必要なことは、上記の２つの変形例に対して施したものと類似しており、コネクタの結合端部はジャックに嵌合するように適合しており、プラグの後部は、外側ハウジング又はリング導体と、中心又はチップ導体に圧着されている抵抗器と、抵抗器がハウジング内で軸方向に固定された状態を保持する後プラグと、を備えている。
【００１８】
コネクタ１０の組み立て方法に、絶縁体２２を外側ハウジング１４内に挿入及びプレスフィット（press fit）させる工程を含ませることができ、絶縁体２２は摩擦によって所定の位置に保持される。抵抗器２４の第１端部２６は、所望の長さに切り取られ、例えば、図示されたコネクタ１０の例では、第１端部２６は抵抗器２４からほぼ０．２０インチ延びていることが好ましい。第１端部２６は中心導体１６の第２端部３４の開口内に挿入される。中心導体１６の第２端部３４は第１端部２６の周囲に圧着され、抵抗器２４と中心導体１６とを固定して電気的に接続する。抵抗器２４の第２端部２８は、次いで、後プラグ３０の開口４４内に配置される。そして、中心導体１６と抵抗器２４と後プラグ３０とを組み合わせたものは、中心導体１６を絶縁体２２の軸方向開口３２内に挿入してプレスフィットさせて後プラグ３０を外側ハウジング１４の後部６８内に挿入してプレスフィットさせることによって、外側ハウジング１４と接続される。
【００１９】
このように組み立てられた状態で、抵抗器２４は、電気伝導性の後プラグ３０によって外側ハウジング１４に電気的に接続され、外側ハウジング１４内において軸方向に一直線に配置されている。次いで、抵抗器２４の第２端部２８に張力が加えられて、抵抗器２４が外側ハウジング１４内で傾かないことを確実にする。そして、後プラグ３０の圧着スリーブ４６は、抵抗器２４の第２端部２８の周囲で圧縮されて圧着される。第２端部２８は、次いで、圧着スリーブ４６と実質的に面一に切り取られる。このように両端部で圧着された状態で、抵抗器２４は、一貫したレベルのインピーダンスがコネクタ１０によって提供されるように、外側ハウジング１４内で軸方向に一直線に配置された状態で保持される。後キャップ２０は、コネクタ１０の後部６８に被さって配置され所定の位置で固定される。後キャップ２０によって、コネクタ１０の内部部品は更に保護される。以上の説明によって、本発明の範囲内で他の組み立て方を試みることが予見及び提案される。
【００２０】
本願明細書、上記の例及びデータによって、本発明の構成物の使用及び製造の説明を行った。本発明の範囲及び主旨を逸脱せずに本発明の多くの実施例が可能であるので、本発明は特許請求の範囲によって定義される。
【図面の簡単な説明】
【００２１】
【図１】従来の終端同軸コネクタの前方斜視図
【図２】図１の従来の終端同軸コネクタの分解前方斜視図
【図３】図１の従来の終端同軸コネクタの断面図
【図４】本発明に係わる終端同軸コネクタの前方斜視図
【図５】図４の終端同軸コネクタの側面図
【図６】図４の終端同軸コネクタの分解前方斜視図
【図７】図５の７−７線による図４の終端同軸コネクタの断面図
【図８】図４の終端同軸コネクタとともに使用される後プラグの後方斜視図
【図９】図８の後プラグの前面図
【図１０】図９の１０−１０線による図８の後プラグの断面図
【図１１】図４の終端同軸コネクタとともに使用されるエンドキャップの前方斜視図
【図１２】図１１のエンドキャップの前端を示す図
【図１３】図１２の１３−１３線による図１１のエンドキャップの断面図
【図１４】本発明に係わる第１の変形例の終端同軸コネクタの前方斜視図
【図１５】図１４の終端同軸コネクタの分解前方斜視図
【図１６】図１４の終端同軸コネクタの側面図
【図１７】図１６の１７−１７線による図１４の終端同軸コネクタの断面図
【図１８】本発明に係わる第２変形例の終端同軸コネクタの前方斜視図
【図１９】図１８の終端同軸コネクタの後方斜視図
【図２０】図１８の終端同軸コネクタの分解前方斜視図
【図２１】図１８の終端同軸コネクタの側面図
【図２２】図２１の２２−２２線による図１８の終端同軸コネクタの断面図